【事件の表示】
　特願２０１１−１８３３０３「撮像素子、撮像装置及び生体撮像装置」拒絶査定不服審判事件〔平成２５年　３月　４日出願公開、特開２０１３−　４５９１７、請求項の数（１０）〕について、次のとおり審決する。
【結　論】
　原査定を取り消す。
　本願の発明は、特許すべきものとする。
【理　由】
第１　手続の経緯　
　本願は，平成２３年８月２５日の出願であって，その手続の経緯は以下のとおりである。
平成２６年８月１２日　審査請求
平成２７年４月２７日　拒絶理由通知
平成２７年６月１９日　意見書・手続補正
平成２７年７月　２日　拒絶査定（以下，「原査定」という）
平成２７年８月１２日　審判請求・手続補正
平成２８年５月　９日　補正却下決定・拒絶理由通知（以下，「当審拒絶理由」という）
平成２８年６年２９日　意見書・手続補正
　
第２　本願発明
　本願の請求項１−１０に係る発明は，平成２８年６月２９日付けの手続補正で補正された特許請求の範囲の請求項１−１０に記載された事項により特定されるものと認められるところ，本願の請求項１に係る発明（以下，「本願発明」という。）は以下のとおりである。
「第１のフォトダイオードと，
　第２のフォトダイオードと，
　前記第１のフォトダイオードの上方に配置される第１のカラーフィルタと，
　前記第２のフォトダイオードの上方であって前記第１のカラーフィルタとは異なる平面位置に配置される第２のカラーフィルタと，
　前記第１のカラーフィルタの上方に配置される第１のオンチップレンズと，
　前記第２のカラーフィルタの上方に配置される第２のオンチップレンズと
　を含む画素単位を備え，
　前記第１のカラーフィルタと前記第２のカラーフィルタは，前記画素単位に対応する光の波長を波長帯域に含む異なる分光特性を有し，
　前記第１のフォトダイオードと前記第２のフォトダイオードから出力される電気信号は，所定の分光特性に基づいて個別に設定されたゲインでそれぞれ増幅され，加算される
　撮像素子。」　
　
第３　原査定の理由について
１　原査定の理由の概要
　本願発明は，その出願前に日本国内又は外国において，頒布された下記の刊行物に記載された発明又は電気通信回線を通じて公衆に利用可能となった発明であるから，特許法第２９条第１項第３号に該当し，特許を受けることができない。
　本願発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　　　　　　　　　　　　　記
引用文献２　特開２００６−２７０３６４号公報
　引用文献２に記載された発明における，前記第１のカラーフィルタは，画素単位に含まれる，光センサ２６および光センサ２８の一方に対応する光の波長を波長帯域に含んでおり，また，前記第２のカラーフィルタは，画素単位に含まれる，光センサ２６および光センサ２８の他方に対応する光の波長を波長帯域に含んでいるのであるから，引用文献２に記載された発明における，前記第１のカラーフィルタと前記第２のカラーフィルタは，「前記画素単位に対応する光の波長を波長帯域に含」んでいると言える。
２　原査定の理由の判断
（１）引用文献２の記載事項
　ア　引用文献２
　原査定の拒絶の理由に引用された，本願の出願日前に日本国内において頒布された刊行物である，特開２００６−２７０３６４号公報（以下，「引用文献２」という。）には，図面とともに，次の記載がある。
（ア）「【技術分野】
【０００１】
　本発明は，各画素にカラーフィルタを配置した固体撮像素子および固体撮像装置，ならびにその駆動方法に関するものである。」
（イ）「【発明を実施するための最良の形態】
【００１４】
　次に添付図面を参照して本発明による固体撮像素子の実施例を詳細に説明する。
【００１５】
　実施例の
固体撮像素子10は，図１に示すように，複数の画素12が，それぞれ，原色フィルタを備えた主感光部14および補色フィルタを備えた副感光部16を含んで構成され，
・・・
【００１７】
　この
画素12は，入射光を受光してフォトダイオードなどの光センサで光電変換することにより画像信号を生成する
原色フィルタ20を備えた主感光部14，および補色フィルタ24を備えた副感光部16を含んで構成される
【００１８】
　本実施例の
主感光部14および副感光部16は，同じサイズのマイクロレンズおよび光センサを有する
・・・
【００２０】
　また，図１および図３に示すように，
主感光部14は，マイクロレンズ（MicroLens：ML）18，原色フィルタ20および光センサ26を備えて構成され，また副感光部16は，ML 22，補色フィルタ24および光センサ28を備えて構成される。
（ウ）「【００４２】
　本実施例の信号処理部68は，図６に示すように構成されて，入力のディジタル画像信号144のうち，
主感光部14からの出力に基づく主画像信号150，および副感光部16からの出力に基づく副画像信号152にディジタル信号処理を施すものである。
【００４３】
　ここで，信号処理部68では，
主画像信号150に対して，
ホワイトバランス（WB）ゲイン補正部82でWB補正処理し
その結果の画像信号154を画素加算処理部94に供給する。
【００４４】
　同様に，信号処理部68では，
副画像信号152を
WBゲイン補正部90
で処理して，その結果の画像信号156を画素加算処理部94に供給する
【００４５】
　本実施例のRGB変換部88は，オフセット補正部86からの
副画像信号158に基づいて原色で画像を示す画像信号160に変換して生成し
【００４６】
　また，この
画素加算処理部94は，入力の画像信号154および156を画素ごとに加算した画像信号162を生成
（エ）図１には，主感光部１４の原色フィルタ２０とは異なる平面位置に副感光部１６の補色フィルタ２４が配置されることが記載されている。
（オ）図３には，
主感光部１４の光センサ２６の上方に原色フィルタ２０が配置され，原色フィルタ２０上にマイクロレンズ１８が配置され，副感光部１６の光センサ２８の上方に補色フィルタ２４が配置され，補色フィルタ２４上にマイクロレンズ２２が配置された
　イ　引用発明２
　前記アより，引用文献２には，次の発明（以下，「引用発明２」という。）が記載されていると認められる。
「固体撮像素子は，入射光を受光してフォトダイオードで光電変換する画素を複数含み，各画素は，原色フィルタを備えた主感光部及び補色フィルタを備えた副感光部を含んで構成され，主感光部及び副感光部はフォトダイオードを有し，主感光部の原色フィルタ上にマイクロレンズが配置され，副感光部の補色フィルタ上にマイクロレンズが配置され，主感光部からの出力及び副感光部からの出力に対して，それぞれWBゲイン補正部で補正し，加算した固体撮像素子」
（２）対比
　引用発明２の「原色フィルタ」及び「補色フィルタ」は，下記相違点１を除いて，それぞれ本願発明の「第１のカラーフィルタ」及び「第２のカラーフィルタ」に相当すると認められる。
　また，引用発明２の「主感光部の原色フィルタ上に配置されたマイクロレンズ」及び「副感光部の補色フィルタ上に配置されたマイクロレンズ」は，それぞれ本願発明の「第１のオンチップレンズ」及び「第２のオンチップレンズ」に相当すると認められる。
　そして，本願発明と引用発明２とを対比すると，下記アの点で一致しているが，下記イの点で相違すると認められる。
　ア　一致点
「第１のフォトダイオードと，
　第２のフォトダイオードと，
　前記第１のフォトダイオードの上方に配置される第１のカラーフィルタと，
　前記第２のフォトダイオードの上方であって前記第１のカラーフィルタとは異なる平面位置に配置される第２のカラーフィルタと，
　前記第１のカラーフィルタの上方に配置される第１のオンチップレンズと，
　前記第２のカラーフィルタの上方に配置される第２のオンチップレンズと
　を含む画素単位を備える
　撮像素子。」
　イ　相違点
（ア）相違点１
　本願発明の前記第１のカラーフィルタと前記第２のカラーフィルタは，前記画素単位に対応する光の波長を波長帯域に含む異なる分光特性を有するのに対し，引用発明２の原色フィルタと補色フィルタのうち補色フィルタはその波長帯域については原色に対する補色の関係になっているから画素単位に対応する光の波長を波長帯域に含まない点。
（イ）相違点２
　本願発明の前記第１のフォトダイオードと前記第２のフォトダイオードから出力される電気信号は，所定の分光特性に基づいて個別に設定されたゲインでそれぞれ増幅され，加算されるのに対し，引用発明２の主感光部からの出力及び副感光部からの出力に対しては，それぞれWBゲイン補正部で補正し，加算されるものである点。
（３）判断
　相違点１，２についてまとめて検討する。画素単位に対応する光の波長を波長帯域に含む異なる分光特性を有するカラーフィルタを用いて得た電気信号を，所定の分光特性に基づいて個別に設定されたゲインでそれぞれ増幅され，加算されることは，引用文献２に記載も示唆もない。本願発明は，前記相違点１，２に係る構成を有することで，最適な分光特性を創出するという課題を解決するもの（本願明細書段落０００４，０００５）であるが，引用文献２には前記課題について記載も示唆もない。
（４）小括
　したがって，本願発明は，当業者が引用発明２に基づいて容易に発明をすることができたとはいえない。また，本願発明は，引用発明２であるとすることもできない。
　本願の請求項２−１０に係る発明は，本願発明をさらに限定したものであるので，本願発明と同様に，当業者が引用発明２に基づいて容易に発明をすることができたとはいえない。また，本願の請求項２−１０に係る発明は，引用発明２であるとすることもできない。
　よって，原査定の理由によっては，本願を拒絶することはできない。
　
第４　当審拒絶理由について
１　当審拒絶理由の概要
　本願発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　　　　　　　　　　　　記
引用文献１　特開２０１０−２５２０８９号公報
引用文献２　特開２００６−２７０３６４号公報
引用文献３　特開２０１１−１２９６３８号公報
引用文献４　特開２００８−１４７８１８号公報
引用文献５　特開２００４−２２８６６２号公報
引用文献６　特開２００８−２７０３１６号公報
　「個別に設定されたゲインで増幅される」点は，引用文献２（段落００４２−００４６）に記載されているので，引用文献１に記載された発明に引用文献２に記載の上記技術を適用することは，当業者が容易になし得たものである。
２　当審拒絶理由の判断
（１）引用文献１の記載事項
　ア　引用文献１
　本願の出願日前に日本国内において頒布された刊行物である，特開２０１０−２５２０８９号公報（以下，「引用文献１」という。）には，図面とともに，次の記載がある。（下線は当審において付加した。以下同じ。）
（ア）「【技術分野】
【０００１】
　本発明は，高感度又は高色分解での撮像や画像処理の切り替え可能な撮像装置及び画像処理プログラムに関する。」
（イ）「【発明を実施するための形態】
【００１３】
≪一の実施形態≫
　図１は，本発明の一の実施形態に係るデジタルカメラ１００の構成図である。
【００１４】
　デジタルカメラ１００は，撮像レンズ１，光学ローパスフィルタ（ＯＬＰＦ）２，撮像素子３，Ａ／Ｄ変換部４，ＣＰＵ５，バッファメモリ６，カードインタフェース（カードＩ／Ｆ）７，操作部材９，記憶部１０及び表示部１１から構成される。ＣＰＵ５，バッファメモリ６，カードＩ／Ｆ７，操作部材９，記憶部１０及び表示部１１は，バス１２を介して情報伝達可能に接続されている。なお，図１はデジタルカメラ１００の主要部分のみを示す。例えば，図１において，ＣＰＵ５の指令に従って，撮像素子３及びＡ／Ｄ変換部４に撮影指示のタイミングパルスを発するタイミングジェネレータや撮像素子３の受光面の前面に設けられるカラーフィルタアレイ等は省略されている。
・・・
【００１７】
　撮像素子３は，ＣＣＤやＣＭＯＳの半導体イメージセンサ等を適宜選択して用いる。ただし，本実施形態において，
図２に示すように，撮像素子３の受光面の前面に設けられるカラーフィルタアレイを構成する各カラーフィルタＲ（赤），Ｇ（緑）及びＢ（青）は，２画素×２画素を１画素とした場合においてベイヤ配列型となるように配置されている。さらに，本実施形態では，各カラーフィルタＲ，Ｇ及びＢは，例えば，図３に示すカラーフィルタＲの場合のように，カラーフィルタＲの有する分光特性のスペクトルを，４つの相異なる分光特性のピークを有するカラーフィルタＲ１〜Ｒ４に分割される。
カラーフィルタＲ１〜Ｒ４，カラーフィルタＧ１〜Ｇ４及びカラーフィルタＢ１〜Ｂ４のそれぞれを加算することにより，各カラーフィルタＲ，Ｇ及びＢが有する分光特性のピークを有するスペクトルを再現することができ，
【００１８】
　なお，図３に示すように，４つのカラーフィルタＲ１〜Ｒ４のピーク及びスペクトル幅は互いに異なっているが，ピーク位置を除いて，全て同じピーク値及びスペクトル幅を持っていても良い。また，図２は，撮像素子３の画素配列の一部を示し，各画素の先頭の記号Ｒ，Ｇ及びＢは，基準となるカラーフィルタを示し，それに続く番号は，図３に示すような，基準となるカラーフィルタを分割した時のものであるかを示す。さらに，それら続く２桁の番号は画素の位置を示し，左上を基準にしている。
【００１９】
　この撮像素子３は，ＣＰＵ５の指令を受けてタイミングジェネレータ（不図示）が発するタイミングパルスに基づいて動作し，前方に設けられた撮像レンズ１によって結像される被写体像を取得する。撮像素子３から出力された画像信号は，Ａ／Ｄ変換部４にてデジタル信号に変換される。デジタルの画像信号は，フレームメモリ（不図示）に一時的に記録された後，バッファメモリ６に記録される。なお，本実施形態における撮像素子３は，後述するように，全ての画素からの画像信号，即ちカラーフィルタＲ１〜Ｒ４，カラーフィルタＧ１〜Ｇ４及びカラーフィルタＢ１〜Ｂ４の画素値を出力する高色分解モードと，
カラーフィルタＲ１〜Ｒ４，カラーフィルタＧ１〜Ｇ４及びカラーフィルタＢ１〜Ｂ４の２画素×２画素を１画素として加算して画像信号を出力する高感度モード
（ウ）「【００２５】
　次に，本実施形態に係るデジタルカメラ１００の撮像動作について，図４のフローチャートを参照しながら説明する。
【００２６】
　ユーザにより操作部材９の電源釦が押されると，ＣＰＵ５は，デジタルカメラ１００の記憶部１０に記憶されている制御プログラム及び画像処理プログラムを読み込み，デジタルカメラ１００を初期化して，ステップＳ１０からの処理を行う。なお，以下の説明では，図２に示す，画素Ｒ１_３３，Ｒ２_３４，Ｒ３_４３及びＲ４_４４に対する画素値の処理を例にしながら説明する。そして，他の画素についても同様の処理が行われる。
・・・
【００３６】
　ステップＳ１８：ＣＰＵ５は，ユーザからの被写体像の撮像指示が出されるまで待機する。ユーザによって操作部材９のレリーズ釦が押されると，ＣＰＵ５は，撮像指示が出されたと判断して，タイミングジェネレータ（不図示）に対して，撮像素子３に高感度モードでの撮像指令のタイミングパルスを発して，撮像素子３に撮像レンズ１によって結像された被写体像を取得させる。撮像素子３は，タイミングジェネレータ（不図示）が発するタイミングパルスに基づいて，例えば，画素Ｒ１_３３，Ｒ２_３４，Ｒ３_４３及びＲ４_４４からなる２画素×２画素の領域の画素値を，次式（４）を用いて１画素の画素値として加算した画像信号を出力し，Ａ／Ｄ変換部４を介して，バッファメモリ６に記録する。なお，ＣＰＵ５は，バッファメモリ６に記録されるＲＡＷデータである画像データを，後述する本発明の他の実施形態におけるコンピュータ２００において，本実施形態と同様の画像処理を行うために，撮像日時，露光時間やＩＳＯ感度等の撮像情報とともに，高感度モードをヘッダ情報として付加したＲＡＷ画像ファイルを，カードメモリ８や記憶部１０に記録しても良い。
Ｒ３３＝Ｒ１_３３＋Ｒ２_３４＋Ｒ３_４３＋Ｒ４_４４          （４）
なお，Ｒ３３は，画素Ｒ１_３３，Ｒ２_３４，Ｒ３_４３及びＲ４_４４からなる２画素×２画素の領域の加算した基準となるカラーフィルタＲの画素値を表し，その領域の位置を表すためにその領域のうち左上にある画素の位置の２桁の番号を用いて表している。
・・・
【００３９】
　このように，本実施形態では，
基準となる分光特性を有するカラーフィルタＲ，Ｇ及びＢの各々を，４つの異なる分光特性のピークを有するカラーフィルタＲ１〜Ｒ４，カラーフィルタＧ１〜Ｇ４及びカラーフィルタＢ１〜Ｂ４に分割
（エ）「【００５６】
　・・・
≪実施形態の補足事項≫
　一の実施形態及び他の実施形態では，基準となる分光特性を有するカラーフィルタＲ，Ｇ及びＢの各々を，４つの異なる分光特性のピークを有するカラーフィルタＲ１〜Ｒ４，カラーフィルタＧ１〜Ｇ４及びカラーフィルタＢ１〜Ｂ４に分割したが，本発明はこれに限定されず，２，９又は１６等の任意の数のカラーフィルタに分割しても良い。それに伴い，２画素，３画素×３画素又は４画素×４画素等を１画素として扱うことが好ましい。・・・」
（オ）図２には，
平面上にＲ１〜Ｒ４が２×２の配列に配置される
（カ）図３には，
Ｒの波長帯域内の波長を波長帯域に含む異なる分光特性Ｒ１，Ｒ２，Ｒ３及びＲ４
　イ　引用発明１
　前記アより，引用文献１には，次の発明（以下，「引用発明１」という。）が記載されていると認められる。
　「撮像素子の受光面の前面に設けられるカラーフィルタアレイが，例えばカラーフィルタＲ（赤）の場合，カラーフィルタＲの有する分光特性のスペクトルを，４つの相異なる分光特性のピークを有するカラーフィルタＲ１〜Ｒ４に分割され，カラーフィルタＲ１〜Ｒ４の２画素×２画素を１画素として加算される撮像素子。」
（２）引用文献２の記載事項
　引用文献２には前記第３の２（１）アのとおりの記載があり，前記第３の２（１）イのとおりの引用発明２が記載されていると認められる。
（３）本願発明と引用発明１との対比
　ア　引用発明１の「カラーフィルタＲ１〜Ｒ４の２画素×２画素を１画素として加算される」との構成より，カラーフィルターＲ１〜Ｒ４の２画素×２画素に対応してそれぞれ受光部を備えることは自明であり，引用発明１の「撮像素子の受光面の前面に設けられるカラーフィルタアレイ」との構成を備えていることから，引用発明１は，「カラーフィルターＲ１〜Ｒ４の２画素×２画素に対応して設けられた複数の受光部の前面に設けられるカラーフィルタアレイ」との構成を備えることは明らかである。そうすると，本願発明の「第１のフォトダイオードと，第２のフォトダイオードと，前記第１のフォトダイオードの上方に配置される第１のカラーフィルタと，前記第２のフォトダイオードの上方であって前記第１のカラーフィルタとは異なる平面位置に配置される第２のカラーフィルタ」と引用発明１の前記構成とは，「複数の受光部の上方にカラーフィルタアレイ」を備える点で共通するといえる。
　イ　引用発明１の「カラーフィルタＲ１〜Ｒ４の２画素×２画素」からなる「１画素」は，本願発明の「画素単位」に相当すると認められる。
　ウ　引用発明１の「カラーフィルタＲの有する分光特性のスペクトルを，４つの相異なる分光特性のピークを有するカラーフィルタＲ１〜Ｒ４に分割」は，それぞれのカラーフィルタが「画素単位に対応する光の波長を波長帯域に含む異なる分光特性を有する」ことを意味すると認められる。
　エ　してみると，本願発明と引用発明１とは，下記オの点で一致し，下記カの点で相違する。
　オ　一致点
「複数の受光部の上方にカラーフィルタアレイ
　を含む画素単位を備え，
　前記第１のカラーフィルタと前記第２のカラーフィルタは，前記画素単位に対応する光の波長を波長帯域に含む異なる分光特性を有する
　撮像素子。」
　カ　相違点
（ア）相違点１
　一致点における「受光部」について，本願発明は「フォトダイオード」であるのに対し引用発明１はその構成が特定されていない点。
（イ）相違点２
　本願発明は，「前記第１のカラーフィルタの上方に配置される第１のオンチップレンズと，前記第２のカラーフィルタの上方に配置される第２のオンチップレンズ」を備えるのに対し，引用発明１においては「オンチップレンズ」が明示されていない点。
（ウ）相違点３
　本願発明の前記第１のフォトダイオードと前記第２のフォトダイオードから出力される電気信号は，所定の分光特性に基づいて個別に設定されたゲインでそれぞれ増幅され，加算されるのに対し，引用発明１のカラーフィルタＲ１〜Ｒ４の２画素×２画素は，１画素として加算される点。
（４）判断
　相違点３について検討すると，第１のフォトダイオードと前記第２のフォトダイオードから出力される電気信号は，所定の分光特性に基づいて個別に設定されたゲインでそれぞれ増幅され，加算されることは，引用文献１又は２いずれにも記載されていないし示唆もされていない。本願発明は，前記相違点３に係る構成を有することで，最適な分光特性を創出するという課題を解決するもの（本願明細書段落０００４，０００５）であるが，引用文献１又は２いずれにも前記課題について記載も示唆もない。引用発明１においては，カラーフィルタＲ１〜Ｒ４の２画素×２画素の電気信号が加算されているが，これは高感度化するためのもの（前記（１）ア（イ））であって，最適な分光特性を創出すべく所定の分光特性に基づいて個別に設定されたゲインでそれぞれ増幅されることは示唆されない。
　また，引用文献３ないし６にも，当該事項は記載も示唆もされていない。
（５）小括
　したがって，本願発明は，当業者が引用発明１及び２に基づいて容易に発明をすることができたものとはいえなくなった。
　本願の請求項２−１０に係る発明についても，本願発明をさらに限定したものであるので，本願発明と同様に，当業者が引用発明１及び２に基づいて容易に発明をすることができたものとはいえなくなった。
　そうすると，もはや，当審で通知した拒絶理由によって本願を拒絶することはできない。
　
第５　むすび
　以上のとおり，原査定の理由によっては，本願を拒絶することはできない。
　また，他に本願を拒絶すべき理由を発見しない。
　よって，結論のとおり審決する。